(57)【特許請求の範囲】
【請求項１】
一対の縦杆を複数の水平なステップバーで連結した梯子状の基体と、この基体の最下段のステップバーに一体的に結合された断面Ｌ字形の部材で、基体に平行な前垂れ部を表面側に突出させた少なくとも１個の引掛け体と、基体の最上部にステップバーと平行な関係位置で装着され、基体の縦杆に垂直な平面に対する投影形状が裏面側に開いたＶ字形の係合杆と、引掛け体を脚立の任意のステップバーに裏面側から引掛けた基体を脚立に取り外し可能に連結する固定機構とを有し、この固定機構は、引掛け体の上方における基体の縦杆、又は縦杆の水平方向における近傍において回動自在に支承された基体にほぼ垂直な左右一対の支軸と、各支軸に基端を回動可能に支承され、上記基体に平行な方向に延在すると共に、裏面側に固定片と突起とを連設した左右一対の操作レバーとを備え、上記引掛け体を介して脚立の裏面側に係合させた基体を脚立の裏面に当接させた後、自由端が相互に対向する態様で脚立の表面側に突き抜けた操作レバーを夫々上方に回動させ、脚立のステップバーと直交する上死点位置において上記固定片が脚立のステップバーの下側を押し上げると共に、突起がステップバーの表面に圧接するようにし、更に、各操作レバーを上死点位置から外側に少し回した角度位置でストッパーにより固定するようにしたことを特徴とする脚立用延長梯子。
【請求項２】
上記操作レバーの支軸を、この支軸を含み基体に垂直な平面内において少し外側に傾けたことを特徴とする請求項１記載の脚立用延長梯子。
【発明の詳細な説明】
【技術分野】
【０００１】
この発明は脚立の延長梯子（以下単に延長梯子という）に係り、展開して梯子状にした脚立を簡単な操作で延長して長い梯子に変換できると共に、この長い梯子を立ち木や電柱に立て掛けたとき梯子を安定化することができる延長梯子に関する。
【背景技術】
【０００２】
梯子及び脚立の構造や使用目的はずっと以前から周知であるから、ここでは更に詳細な説明は省略する。
【先行技術文献】
【特許文献】
【０００３】
【特許文献１】特願２０１１−００６４３９
【発明の概要】
【発明が解決しようとする課題】
【０００４】
梯子や脚部を拡開して梯子とした脚立を、電柱や樹木に立て掛けて梯子として使用するとき、当該梯子の最上段のステップバーと電柱等は点接触をするので、足場の悪いところではグラグラしたり、重心が変化すると滑ったりして大変危険である。
【０００５】
そこで、本出願人は先に、上記特許文献１に記載された発明を以て、梯子、或いは展開して梯子状にした脚立の梯子を簡単な操作で延長できると共に、梯子を安定させることができる延長梯子を提案した。
【０００６】
この延長梯子は、一対の縦杆を複数の水平なステップバーで連結した梯子状の基体と、この基体の最下段のステップバーに一体的に結合された断面Ｌ字形の部材で、基体に平行な前垂れ部を表面側に突出させた少なくとも１個の引掛け体と、基体の最上部にステップバーと平行な関係位置で装着され、基体の縦杆に垂直な平面に対する投影形状が裏面側に開いたＶ字形の係合杆と、引掛け体を梯子又は脚立の任意のステップバーに裏面側から係合させた基体を梯子又は脚立に取り外し可能に連結する固定機構とを有し、この固定機構は、引掛け体の上方における縦杆、又は引掛け体の上方における縦杆の水平方向における近傍において回動自在に支承された基体に垂直な支軸と、この支軸の表面側の端部に装着された基体に平行なアームと、このアームの自由端部に固設された支軸と平行なねじ杆と、このねじ杆と同軸に螺合する弾性体からなる押し付け体と、上記ねじ杆の表面側の端部に装着されたアームに平行な操作レバーとを備え、上記引掛け体を介して梯子又は脚立の裏面側に係合させた基体を梯子又は脚立の裏面に当接させた後、表面側に突き抜けた操作レバーを介して押し付け体を回動させ、これを梯子又は脚立のステップバーの下面に圧接させることにより引掛け体と押し付け体とを上下方向に拡開するようにしたものである。
【０００７】
上記特許文献１に記載された延長梯子は、使用時立ち木や電柱等に立て掛けたとき梯子の上端がグラグラしないし、荷重を引掛け体のみが担持し固定機構には荷重が掛らないので合理的な構造であるが、延長梯子の上端部が梯子や脚立から離れると延長梯子が外れてしまう場合がある。
【０００８】
この延長梯子の外れは、脚立等に延長梯子を組み付けたものを運搬するときにのみ生じ、使用時には両者が密着する方向に力を受けるので安全性には全く問題が無いが、運搬に気を使わなければならないということは使い勝手を少し損なう、等未だ改良の余地がある。
【０００９】
そこでこの発明は、脚立に延長梯子を組み付けたとき両者が確りと結合されて分離しないようにした延長梯子を提供することを目的としている。
【課題を解決するための手段】
【００１０】
上記の目的を達成するため、請求項１に記載の発明は、一対の縦杆を複数の水平なステップバーで連結した梯子状の基体と、この基体の最下段のステップバーに一体的に結合された断面Ｌ字形の部材で、基体に平行な前垂れ部を表面側に突出させた少なくとも１個の引掛け体と、基体の最上部にステップバーと平行な関係位置で装着され、基体の縦杆に垂直な平面に対する投影形状が裏面側に開いたＶ字形の係合杆と、引掛け体を脚立の任意のステップバーに裏面側から引掛けた基体を脚立に取り外し可能に連結する固定機構とを有し、この固定機構は、引掛け体の上方における基体の縦杆、又は縦杆の水平方向における近傍において回動自在に支承された基体にほぼ垂直な左右一対の支軸と、各支軸に基端を回動可能に支承され、上記基体に平行な方向に延在すると共に、裏面側に固定片と突起とを連設した左右一対の操作レバーとを備え、上記引掛け体を介して脚立の裏面側に係合させた基体を脚立の裏面に当接させた後、自由端が相互に対向する態様で脚立の表面側に突き抜けた操作レバーを夫々上方に回動させ、脚立のステップバーと直交する上死点位置において上記固定片が脚立のステップバーの下側を押し上げると共に、突起がステップバーの表面に圧接するようにし、更に、各操作レバーを上死点位置から外側に少し回した角度位置でストッパーにより固定するようにしたことを特徴とする。
【００１１】
また、請求項２に記載の発明は、上記操作レバーの支軸を、この支軸を含み基体に垂直な平面内において少し外側に傾けたことを特徴とする。
【発明の効果】
【００１２】
上記のように構成されたこの発明による延長梯子は、引掛け体を梯子の裏面側から任意の高さのステップバーに引掛け、次いで基体を梯子の裏面に近接させた後梯子の表面側に突き抜けた固定機構を操作すれば梯子に装着できるので、延長梯子の装着が非常に簡単である。
【００１３】
また、基体の最上部に、縦杆に垂直な平面に対する投影形状が裏面側に開いたＶ字形の係合杆を装着したので、電柱や樹木などにこの係合杆のＶ字形を係合させることにより梯子が格段に安定して使用勝手が向上する。
【００１４】
更にまた、通常の使用条件においては、固定機構に掛かる静荷重はゼロであり、延長梯子に印加される梯子の長さ方向の荷重は引掛け体によって担持される。
【００１５】
そして、荷重を担持する引掛け体は構造が簡単であるから丈夫であり、従って延長梯子は長期間その機能を維持することができる。
【００１６】
加えて、請求項２に記載の発明によれば、支軸が少し外側に傾くので、操作レバーの回動によりその裏面の突起が脚立のステップバーの表面に近接して抉れ、そのため操作レバーがさらに強く脚立のステップバーの表面に圧接されて脚立と延長梯子との結合が強固になる、等種々の効果を奏する。
【図面の簡単な説明】
【００１７】
【図１】本発明の一実施例による延長梯子を、展開して梯子とした脚立に結合したものの正面図で、図面を明瞭にするため延長梯子の一部のステップバーの表示を省略して示す。
【図２】図１のＩＩ−ＩＩ線による拡大一部断面図。
【図３】図２のＩＩＩ−ＩＩＩ線による拡大一部断面図。
【図４】図１のＩＶ−ＩＶ線による一部断面平面図。
【図５】図４のＶ−Ｖ線による拡大側面図。
【図６】延長梯子の平面図。
【図７】固定機構の拡大正面図。
【図８】固定機構の一部断面拡大側面図。
【図９】固定機構の支軸部の一部断面拡大平面図で、金具の折り曲げ角度を誇張して示す。
【図１０】図１の側面図。
【発明を実施するための形態】
【００１８】
基体の下端に引掛け体を、最上部に基体の縦杆に垂直な平面に対する投影形状が裏面側に開いたＶ字形の係合杆を夫々装着し、上記引掛け体を介して梯子又は脚立の裏面側に係合させた基体を梯子又は脚立の裏面に当接させた後、表面側に突き抜けた固定機構の操作レバーを脚立のステップバーと交差するように回動させ、操作バーの裏面側に突設された突起を脚立のステップバーに抉るように押圧するので、延長梯子を脚立に簡単かつ容易に装着することができるばかりでなく、延長梯子と脚立の結合が強固になって運搬時取り扱いが便利になり、更に、係合杆を電柱等に係合させることにより、延長梯子と脚立を安定に電柱等に立て掛けることができ、そのため梯子の使用勝手が格段に向上する。
【実施例１】
【００１９】
以下、本発明の一実施例を図面を参照して説明する。
図１において符号１は延長梯子の基体の全体を示し、この基体１は、一対の縦杆２、２を水平な複数（図示の実施例では３本）のステップバー３、３で連結した梯子状に成形されている。
【００２０】
この構成は、図１に示す脚立１０においても同様で、異なるところは、脚立１０の縦杆２、２は漢字の八字形に配設されている点で、これら一対の脚立の縦杆２、２を複数の水平なステップバー３、３で結合する点は、延長梯子の基体１と同様である。
【００２１】
図示の実施例における縦杆２は、図２に示すように、例えば横断面形状がコ字形のアルミの形材であり、図２及び図３に示すように、横断面が細長い台形のステップバー３の両端を縦杆２のコ字形の内側に差し入れるようにして、例えばリベット４止めによりステップバー３を固定している。
【００２２】
なお、図１及び図３に示すように、ステップバー３はその細い側面を表面側、に向ける関係位置で縦杆２に固定されている。
【００２３】
一方、図１及び図４に示すように、基体の最下段のステップバー３には少なくとも１個（図１には２個）の引掛け体５、５が一体的に結合されている。
【００２４】
この引掛け体５は、図５に示すように、基体に平行な前垂れ部６を表面側に突出させており、例えばねじ７によりステップバー３に固定されている。
【００２５】
他方、図１及び図６に示すように、基体１の最上部にはステップバー３と平行な関係位置で係合杆８が一体的に装着されている。
【００２６】
この係合杆８は、図６に示すように、基体の縦杆１に垂直な平面に対する投影形状が基体の裏側（図６で上方）に開いたＶ字形をしている。
【００２７】
したがって、この係合杆８のＶ字形を電柱や立ち木などに立て掛けると（図１０参照）、係合杆８が電柱等を抱持することになるので、延長梯子の上端が動かず梯子が安定する。
【００２８】
なお、上記した理由から、係合杆８のＶ字形の裏面（図６で上面）をゴム引きすることが望ましい。
【００２９】
また、図１に示すように、引掛け体５の上方には、引掛け体を梯子又は脚立の任意のステップバーに裏面側から係合させた基体を梯子又は脚立に取り外し可能に連結する固定機構９が配設されている。
【００３０】
この固定機構９は、図７乃至図９に示すように、引掛け体５の上方における縦杆２（図１参照）、又は引掛け体の上方における縦杆２の水平方向における近傍に設けられた支軸１１（図９参照）を備えている。
【００３１】
ここに、縦杆２の水平方向における近傍、の意味は、支軸１１が縦杆２を貫通しないという意味である。
【００３２】
また、支軸１１は有体物ではなく抽象的な概念であり、後述する操作レバーの回動中心線である。
【００３３】
図示の実施例における支軸１１は、図８及び図９に示すように、延長梯子の縦杆２に上下方向の位置を調節可能にボルト１２止めされた第１及び第２金具１３、１４の自由端部（図９で左端部）に担持されている。
【００３４】
図示の実施例における第１及び第２金具１３、１４は、断面が略Ｌ字形に折り曲げられた厚板材で、基体の縦杆２の背面に形成された長穴１５に沿って上下位置を調節可能に装着されている。
【００３５】
すなわち、図８及び図９に示すように、ボルト１２の雄ねじ部分は、第２金具１４の背面（図９で水平な部分）に形成された図示しない丸穴を通って縦杆２の長穴１９を挿通し、第１金具の背面に形成された雌ねじ孔に螺合している。
【００３６】
したがって、ボルト１２を緩め、ボルトを介して一体的に連結された第１及び第２金具を長穴１５に沿って上下移動させ、適切な位置に置いてボルト１２を締めれば、第１及び第２金具を基体の縦杆２に確りと固定することができる。
【００３７】
なお、図示の実施例では、第１金具１３の脊板の側端縁が縦杆２の側板内面に接合するように設計されており、これによって第１金具１３のボルト１２周りの回り止めが施される。
【００３８】
また、図９に示すように、第１及び第２金具１３、１４の袖部（図９で左側の部分）が背板に対して９０度以上の関係角度になるように開いており、これに起因して支軸１１が図９で上側に傾く。
【００３９】
上記したように支軸が傾くようにしたのは意図的なものであり、後述するように、この支軸の周りを回動可能に設けられた操作レバーが脚立のステップバーと抉れるようにし、脚立と延長梯子との結合をより強固にすることを目的としている。
【００４０】
図８及び図９に戻って、上記第１及び第２金具１３、１４の袖部に支軸ボルト１６と遊嵌する図示しない同軸のボルト孔を形成し、スプリングワッシャー１７付の支軸ボルトの雄ねじ部を第２金具１４に開口したボルト孔、操作レバー１８（図７参照）の基部に開口した図示しない支軸孔、筒状のスぺーサー１９及び第１金具１３の袖部に開口したボルト孔を挿通させた後、縦杆２の内側に突き出た支軸ボルトにナットを螺合させる。
【００４１】
そして、ナットの締め込み量を調節することによりスプリングワッシャー１７の弾力を調節し、操作レバー１８の摩擦トルクを適切な値に設定する。
【００４２】
図９に示す実施例は、第２金具１４の袖部とスぺーサー１９挟まれた操作レバー１８のトルクを大きくすれば操作レバーの動きが重くなるので、後に述べるように操作レバー１８を脚立のステップバーと交差するように回したとき、その角度位置を安定に保ち信頼感が増大する、という考えに基づく。
【００４３】
しかしながら、請求項２に記載の発明のように、最終的に抉りを利用して操作レバー１８と脚立のステップバーを強固に結合する、という考えに立てば、抉り以前の操作レバー１８の回動は円滑でも良い、という考えも成り立つ。
【００４４】
なお、図９は金具の脊板と袖板の間の角度を９０度よりずっと大きくなるように誇張して描いてあり、したがって、袖板や縦枠２の側板の間隙も実際より大きくなっている。
【００４５】
実際には、これら２枚の袖板、縦杆２の側板などは隙間なく重合するようであり、この場合、スぺーサー１９が無いと操作レバー１８と第１金具１３の袖板との間に挟まれた縦杆２の側板は、縦杆の材質がアルミニウム等の柔らかいものであるため、変形することがある。
【００４６】
しかしながら、その変形は微小であって通常気にならない程度であるから、この場合はスぺーサー１９を省略することができる。
【００４７】
なお、図８に示すように第１及び第２金具１３、１４を上下方向に調節可能にする場合には、スぺーサー１９と縦杆、或いは支軸ボルトと縦杆の側板との干渉を避けるための開口はやはり縦長にしなければならない。
【００４８】
一方、上記操作レバー１８は、図７に示すように、延長梯子に対する投影形状が細長いレバーであり、例えば図８に示すように、支軸１１（図９参照）に垂直なその基部から少し上方を延長梯子の表面側に斜めに折り曲げて第１斜面部１９を形成してある。
【００４９】
また、この第１斜面部１９の上端を基部と平行にして上方に延長して係合面２１を形成し、更にまた、この係合面２１の上端を第１斜面部１９と同様に斜めに折り曲げて操作レバー１８の自由端部（上端部）を延長梯子（或いは脚立）から離して操作レバー１８を操作し易いようにしている。
【００５０】
他方、上記第１斜面部１９の上面には、図７及び図８に示すように、横断面コ字形の付番しないホルダに収納された硬質ゴム或いは合成樹脂製の固定片２２がねじ止めされている。この固定片２２は、例えば自転車のブレーキをそのまま転用することができる。
【００５１】
上記固定片２２の第１斜面部１９における取付位置は、延長梯子を正面から見て操作レバー１８が時計盤面に換算して１２時の角度位置にあるとき（以下上死点という）、図８に示すように、脚立のステップバー３の下面を少し押し上げ気味に当接するように設定するものとする。
【００５２】
また、図８に示すように、操作レバー１８が上死点にあるとき脚立のステップバー３の表面に対向する係合面２１の裏面側に、突起２３が形成されている。
【００５３】
この突起２３を形成するには、例えば操作レバー１８の材質がアルミニウムなど軟らかい材質の場合には、プレスやポンチ等に寄り操作レバー１８の突起２３に対応する表面部分を打刻して窪み２４を形成すれば、上記突起２３を形成することができる。
【００５４】
なお、上記突起２３の操作レバーの裏面からの突出量は例えば１ミリメートル以下の僅かのもので良い。
【００５５】
また、上記突起２３は必ずしも操作レバー１８と一体でなくともよく、例えば上記係合面２１の裏面側（図８で右側）にねじ込まれたビスの頭（図示せず）でも良い。
【００５６】
更にまた、図８における係合面２１とその上の斜面部との折り曲げ部２６を脚立のステップバー３の位置にまで下げたもの（図示せず）でも良い。
【００５７】
上記のように構成されたこの発明の一実施例による延長梯子は、図１及び図１０に示すように、展開して梯子状にした脚立の任意のステップバー（図１では上から２番目のステップバー）３に、延長梯子の最下段の２個の引掛け体５を脚立の裏面側から引っ掛ける（図１及び図５参照）。
【００５８】
次いで、上記引掛け体を介して脚立の裏面側に係合させた基体を脚立の裏面に当接させた後、操作レバー１８、１８の自由端が相互に対向する態様で、すなわち、図１において右側の操作レバー１８を反時計方向に約１８０度、左側のそれを時計方向に約９０度回した状態で脚立の表面側に突き抜けた操作レバー１８、１８を、図１に示すように、夫々上方に回動させる。
【００５９】
すると、操作レバー１８が脚立のステップバー３と直交する上死点位置において上記固定片２２が脚立のステップバー３の下側を押し上げると共に、突起２３がステップバーの表面に圧接する。
【００６０】
前記したように、操作レバー１８の支軸１１は図９で上方、実際には水平方向に傾いている。
【００６１】
すなわち、図９は延長梯子の支軸部の水平断面を示し、縦杆２のコ字形の凹部が下を向いているから、図１に当てはめてみれば上記コ字形の凹部を右側に、スプリングワッシャー１７を下側にして見た状態となる。
【００６２】
図９は図１で左側の支軸１１及び操作レバーを示し、この左側の操作レバー１８の支軸１１はこの支軸を含み基体に垂直な平面内において少し外側、すなわち左側に傾いている。反対に、右側の操作レバー１８の支軸１１は右側に傾いている。
【００６３】
したがって、左右の操作レバー１８、１８を夫々反時計方向、時計方向に回すと、操作レバー１８の自由端部は脚立のステップバー３に近接し、その裏面側の前記突起２３（図８参照）がステップバー３の表面に抉りつけられ、そのためステップバーと操作レバー１８との係合がより強固になって延長梯子と脚立が確りと結合される。
【００６４】
この操作レバー１８の回動は、実際には、図１に示すように、左側の操作レバー１８を更に反時計方向に少し回動させる（右側のものは時計方向）。
【００６５】
その理由は、図７において操作レバー１８を反時計方向に回動しようとすると、第２金具１４の折り曲げ部であるストッパー２５に阻まれ、反時計方向に回動しようとすると、固定片２２が更に脚立のステップバーを押し上げなければならないので、結局操作レバー１８は上死点位置より少し下がった状態が安定なのである。
【００６６】
なお、脚立と延長梯子とを倉庫などに収納し、或いは運搬するときには、脚立の脚部の間に図１に示す要領で延長梯子を結合し、コンパクトに纏めると良い。
【符号の説明】
【００６７】
１  基体
２  縦杆
３  ステップバー
４  リベット
５  引掛け体
６  前垂れ部
７  ねじ
８  係合杆
９  固定機構
１０  脚立
１１  支軸
１２  ボルト
１３  第１金具
１４  第２金具
１５  長穴
１６  支軸ボルト
１７  スプリングワッシャー
１８  操作レバー
１９  第１斜面部
２１  係合面
２２  固定片
２３  突起
２４  窪み
２５  ストッパー
２６  折り曲げ部
【図１】
0005240644.tif 000002
【図２】
0005240644.tif 000003
【図３】
0005240644.tif 000004
【図４】
0005240644.tif 000005
【図５】
0005240644.tif 000006
【図６】
0005240644.tif 000007
【図７】
0005240644.tif 000008
【図８】
0005240644.tif 000009
【図９】
0005240644.tif 000010
【図１０】
0005240644.tif 000011